(57)【特許請求の範囲】
【請求項１】
リムウエル（７）の外面の位置でリムに接続させて、前記リムウエル（７）に着座させる成形物（１）であって、該成形物は空気圧タイヤ内で空気圧を測る装置のハウジングであり、
前記リムウエル（７）に接続するための前記成形物（１）の接触面（２）は凹曲面に形成した曲面（５）を有しており、
前記曲面（５）は、前記接触面（２）の中央部位（６ａ）では、曲率の大きい曲面部分（５ａ）を有し、前記中央部位（６ａ）から離れた部位では、曲率の小さい曲面部分（５ｂ及び／又は５ｃ）を有するように形成された異曲率曲面として形成されており、
前記成形物は、異曲率曲面の中の、前記リムウエルに適合する曲率部分を着座させて前記リムウエルの外面に接着剤によって接着接続されていることを特徴とするリムと組み合わせた成形物。
【請求項２】
少なくとも前記中央部位（６ａ）から片側において、前記異曲率曲面（５）を有することを特徴とする請求項１に記載のリムと組み合わせた成形物。
【請求項３】
前記中央部位（６ａ）の両側において、前記異曲率曲面（５）を有することを特徴とするリムと組み合わせた請求項１に記載の成形物。
【請求項４】
前記異曲率曲面（５）は、各前記曲面部分（５ａ，５ｂ及び／又は５ｃ）が連続して形成されており、各前記曲面部分（５ａ，５ｂ及び／又は５ｃ）は、前記中央部位（６ａ）から離れるにしたがって、前記曲率が減少していることを特徴とする請求項１から請求項３のいずれかに記載のリムと組み合わせた成形物。
【請求項５】
各前記曲面部分（５ａ，５ｂ及び／又は５ｃ）は、各前記曲面部分（５ａ，５ｂ及び／又は５ｃ）内では、前記曲率が一定であることを特徴とする請求項１から請求項４のいずれかに記載のリムと組み合わせた成形物。
【請求項６】
各前記曲面部分（５ａ，５ｂ及び／又は５ｃ）は、２つの隣り合う部分の間で、前記曲率が突然に変わることを特徴とする請求項１から請求項５のいずれかに記載のリムと組み合わせた成形物。
【請求項７】
各前記曲面部分（５ａ，５ｂ及び／又は５ｃ）のそれぞれの長さは、等しくなっていることを特徴とする請求項１から請求項６のいずれかに記載のリムと組み合わせた成形物。
【請求項８】
各前記曲面部分（５ａ，５ｂ及び／又は５ｃ）の各長さは、前記中央部位（６ａ）の前記曲面部分（５ａ）は、残りの前記曲面部分（５ｂ及び／又は５ｃ）よりも長く、前記残りの前記曲面部分（５ｂ及び／又は５ｃ）は、長さが等しくなっていることを特徴とする請求項１から請求項６のいずれかに記載のリムと組み合わせた成形物。
【請求項９】
各前記曲面部分（５ａ，５ｂ及び／又は５ｃ）の各長さは、前記中央部位（６ａ）の前記曲面部分（５ａ）は、残りの前記凹曲面部分（５ｂ及び／又は５ｃ）よりも長く、前記残りの前記曲面部分（５ｂ及び／又は５ｃ）は、前記中央部位（６ａ）から離れるにしたがって、長さが減少することを特徴とする請求項１から請求項６のいずれかに記載のリムと組み合わせた成形物。
【請求項１０】
各前記曲面部分（５ａ，５ｂ及び／又は５ｃ）は、前記中央部位（６ａ）から離れるにしたがって、前記曲率が連続的に減少していることを特徴とする請求項１から請求項９のいずれかに記載のリムと組み合わせた成形物。
【請求項１１】
各前記曲面部分（５ａ，５ｂ及び／又は５ｃ）は、前記中央部位（６ａ）に対してミラー対称に配置されていることを特徴とする請求項１から請求項１０のいずれかに記載のリムと組み合わせた成形物。
【請求項１２】
各前記曲面部分（５ａ，５ｂ及び／又は５ｃ）は、前記リムウエル（７）の横断方向（１０）の断面が平坦状に形成されていることを特徴とする請求項１から請求項１１のいずれかに記載のリムと組み合わせた成形物。
【請求項１３】
各前記曲面部分（５ａ，５ｂ及び／又は５ｃ）は、前記リムウエル（７）の横断方向（１０）が凸面形状に形成されていることを特徴とする請求項１から請求項１１のいずれかに記載のリムと組み合わせた成形物。
【請求項１４】
前記凸面形状の曲率は、その一端からその他端に至るにしたがって、大きくなっていることを特徴とする請求項１３記載のリムと組み合わせた成形物。
【請求項１５】
前記凸面形状の曲率は、連続的に大きくなっていることを特徴とする請求項１４記載のリムと組み合わせた成形物。
【発明の詳細な説明】
【技術分野】
【０００１】
この発明は、リムウエルにおける位置にあって、前記リムウエルに当接する接触面を有するリムに接続されるのに適している成形物に関するものである。欧州特許公報  ＥＰ０７５１０１７  Ｂ１から知られる成形物は、リムに実装の空気圧タイヤの空気圧を測定する装置を内蔵するハウジング形態を有している。この既知のハウジングは、バルブの基部に螺合されてしっかり接続されている。空気がタイヤ内に圧入されるためのバルブボアは、この目的のためにねじ溝がきってあり、空気圧測定のための前記装置のハウジングには、長円形の開口が設けられていて、この開口を介して中空のねじが前記バルブボアのねじ溝に螺合されることができるようになっている。このねじは、しっかり締め付けられていて、前記ハウジングは、前記バルブの基部に固定されるようになっている。このバルブの基部は、この目的のために金属製であり、その外側形状は、球形断面になっていて、空気圧測定の装置のハウジングの凹部にはまるようになっており、このために前記凹部も相補する球形キャップになっている。前記ハウジングをリムウエルで支持させるためには、前記リムウエルに面する前記ハウジングの側面に２本の足を設け、これらにリムウエルに接触する接触面を設け、これによって、前記ハウジングをリムウエルに着座させるようになっている。リムの形状が異なっていても前記足がリムウエルに確実に達するようにするために、前記長円形の開口により前記バルブボアの長さ方向軸にそって種々の方向へ向けて前記バルブ基部に固定できるようになっている。この構成により、空気圧測定の装置の一つで同じハウジングを異なる形状のリムをもつ車輪に取り付けられるようになっている。しかしながら、この構成の欠点は、前記ハウジングを取り付けるためには、特に適したバルブが必要となるもので、このバルブのバルブ基部のバルブボアは、特別なねじを受けるねじ溝つきボアの形状になっていて、前記特別なねじの貫通ボアに前記ハウジングをねじこんで前記バルブの基部に取り付けるようになっている。この特別の構造のバルブと通しボアをもつ特別のねじは、高価になるものである。
【０００２】
タイヤ圧力を測定する装置をもつ車輪は、また、ドイツ公開特許公報  ＤＥ  １９６２６１４５  Ａ１から知られている。この既知の車輪の場合、空気圧を測定する装置のハウジングは、バルブ基部にねじこまれるようにはなっておらず、自由端をもつスプリングが前記ハウジングに作用して、前記ハウジングが前記スプリングの自由端と自動車の車輪のリムの間にはさまれるようになっており、このようにして前記ハウジングは、一方ではリムウエルの基部で支持され、他方では、リムウエルの側面における二つの支持ポイントで支持されるようになっている。かくして、前記スプリングは、前記ハウジングをリムウエルの底部とリムウエルの側面とにおしつけ、前記ハズイングは、四方側面、即ち、スプリングで二方側面が、リムウエルで一方側面が、リムウエルの側面で一方側面が保持されるようになっている。この構成の欠点は、ＤＥ  ０７６１０１７  Ｂ１から知られる構成の場合のように、通しボアをもつ高価な特別なねじがバルブ基部に前記スプリングを固定するために必要になる点である。また、異なる形状のリムを付勢し、前記ハウジングを前記リムに固定するために異なる形状のスプリングが必要になる欠点もある。
【０００３】
空気圧タイヤにおける空気圧を測定する装置のハウジングを、リムを抱く拘束ストラップによりリムのリムウエルに固定することが提案されている。しかしながら、このような拘束ストラップは、必要になる締め具と組み合わされたストラップは、かなり重くなり、サイズが異なるリムについては、締めたあと個々に締め上げなければならず、さらに温度や疲労の影響でゆるくなってしまう欠点に結び付いてしまう。
【０００４】
そこで、空気圧タイヤにおける空気圧を測定する装置を内蔵のハウジングをサイズが種々の空気圧タイヤのリムに比較的安く可能な限り大きくならないように取り付ける手段を開発することが、この発明の目的である。
【０００５】
この目的は、請求項１に規定の特徴をもつ成形物と、成形物が取り付けられ、請求項１９の特徴をもつリムとにより達成される。この発明のさらに有利な展開は、従属請求項の主題になっている。
【０００６】
この発明による成形物は、ハウジング、特に、空気圧タイヤにおける空気圧及び／又は温度の測定装置を収納するようになっているハウジングである。この場合、いずれにしても極めて小さな付加マスが接触面形成に要求される。このハウジングは、さらに別の部品、特にバッテリー、トランスミッター、無線レシーバ、ロールセンサ、遠心センサ、その他のものが内蔵される。実現させる唯一つのものは、請求項１に規定の特徴をもつ接触面を有するハウジングの形状である。
【０００７】
ハウジングとして構成する代わりに、成形物は、また、成形物に装着されるもののキャリア又はホルダー、特に、空気圧タイヤの空気圧を測定する装置のハウジングのキャリア又はホルダーの形状になっているものでもよい。キャリヤ又はホルダーとして機能する成形物と、これにより保持される成形物との結合は、便宜上の点を考慮しながら、種々の手段、例えば、ものの結合、ねじ止め又は成形物への嵌合などにより実現できる。ここでもまた、この発明の装置に関して実現すべき唯一つのものは、成形物には、請求項１に規定の特徴をもつリムウエルに対面する接触面をもたせなければならない点である。成形物がキャリヤ又はホルダー又は類似の取り付け具の場合でも、例えばプラスチク素材から最少の大きさで作ることができ、この結果リムに取り付け、キャリヤのようにして使用する成形物の大きさに変わりがなくなる。
【０００８】
この発明は、以下の実質的な利点を有する：
【０００９】
一つの成形物が考えられるすべてのリム形式に適用できる。バルブに固定するものは、一切ない。
【００１０】
したがって、高価な特別のバルブが必要なく、その代わり通常の安価なバルブが使用できる。
【００１１】
成形物又は成形物が受けられるハウジングそれぞれの形状を構成するにあたって、バルブの特殊な形状を考慮する必要がない。
【００１２】
成形物は、リムウエルの所望の位置、特にリムの端部からより離れた位置で、リムウエルの最下位置に固定できる。このことは、アンバランスを防ぐ点で好都合である。さらに、タイヤへの取り付けに当たり、成形物の毀損又はリムに支持されている成形物の毀損のリスクを低くする。
【００１３】
取り付けのために、大きさは、必要最低度でよい。
【００１４】
接着面を最適化して接着張力を可能な限りの最強度にできる。成形物の製造コストと装着は、等しくない。
【００１５】
接触面又はその一部のサイズ、傾斜及び／又は曲率を変えることで、異なるタイプの車輪の接着剤に作用するストレスに対する接着間隙形態を最適化できる。
【００１６】
この発明の作用と利点は、この発明の二つの特別な好ましい実施例の以下の記述を読めば、さらに明らかになる。
【００１７】
この発明の第１の実施例によれば、成形物の接触面は、以下のように構成されるもので、即ち、セットになった互いに平行な第１の面のそれぞれが、凹面になった曲面にそって接触面に交差し、前記曲面は、前記接触面を分割する第２の面（この第２の面の位置は、前記曲面の中央部位に位置づけられているため、以下、この中央部位の意味を含めて第２の面として説明する）の少なくとも一方の側に存在し、連続した曲面の複数の部分を第１の面に対し垂直にのばし、前記曲面部分の曲率は、第２の面から離れるにしたがい小さくなるようになっているものである。各曲面部分内では、曲面にそって曲率が一定であることが好ましく、これによって、前記曲面部分におけるそれぞれの曲面の下部分が円弧を構成することになる。記述した第１の実施例の場合、曲面の下部分に成形体が取り付けられる別々のリムのリムウエルの曲率に適合するか、ぴったり合う曲率になるようになる。この場合、接触面の曲面部分が合致し、これによって成形体がそれぞれの径をもつリムウエルに正確に取り付けられる。さらに、成形体の接触部分とリムウエルとの間に一定の接着間隙が存在するようになり、これが強力な接着を得るのに特に好適なものとなり、必要な長さ分にすることができて、接着引っ張り強度を所望のものにすることができる。
【００１８】
このように構成された接触面は、リムウエルの直径について互いに異なるサイズのリムに容易に適合するようになっている。リムウエルの直径が最も細いリムウエルをもつリムは、それ自体第２の面にすぐ隣接する一つ又は二つの接触面の部分に適合され；大径のリムウエルをもつリムは、それ自体第２の面から離れた一つ又は二つの接触面の部分に適合され、前記部分と第２の面との間の間隙は、リムウエルの直径により増大する。これによって、成形物接続、特に、成形体とリムウエルの径が異なるリムとの接着が信頼できるものとなり、考えられるリムウエルの直径のものすべてに対し、十分に長い接着帯域を得ることが可能になる。このことは、接着剤に対し許容される引張ストレスが接着間隙の高さに依存するからであり、これは、接着剤の性状及び引張ストレスが作用し、調節しなければならない接着層に対する引張ストレスに依存する最大値を越えてはならない。
【００１９】
シリンドリカルな表面、例えば、リムウエルを接触面のフラットな部分に連結する場合を考えると、フラットな接触面がリムウエルと直に接触する地点から始まる接着間隙は、径が最も小さいリムウエルにおいてもっとも速やかに増大し、径が最も大きいリムウエルではもっとも遅く増大する。シリンドリカルなリムウエルとフラットな接触面との間に形成された接着帯域については、接着間隙が所定の最高の高さに達した位置で終わる有効な接着帯域は、径が最も小さなリムウエルにとって最も小さくなり、径が最も大きなリムウエルにとって最も大きくなるものである。このような状況を比較すると、この発明は、径が最も小さなリムウエルであって、接着帯域の延長が最も重要なものになる特別な場合に有効な接着帯域を延長させることができる。
【００２０】
好ましくは、曲率が異なる部分は、互いに直接に連なり、これによって、接着面の曲率は、隣り合う二つの部分の間で突然変わる一方、前記曲面の凹面形状はすべて維持され、”第２”の面からの曲面の距離は、それぞれ曲面の部分にわたり平均して長くなる。前記成形物の構成は、接触面を特に短くできる。しかしながら、他の事情を考慮すれば、互いに隣り合う部分の異なるリムウエルの直径に対応する曲面の下部分を個々に構成する代わりに、前記部分の間に間隙をおき、この場合、前記間隙をつなぐ表面領域を考えられるリムウエルの直径に対して接着接続に含ませる必要はない。
【００２１】
リムウエルに接続される成形物に使用される、接触面の部分が曲面になっていても、有利なことは、接着接続を実現するに当たり、リムウエルに対し接触面の一部を接続する部分として付加的に使用できる点である。このことは、接触面が異なる直径の多数のリムウエルに適合でき、接触面の別々の曲面の部分を短くできる場合に特に有利である。直接接触できる接触面の部分に隣接する接触面を付加的に使用し、徐々に接合する間隙をもって接着接続することができる。これらの場合においては、中間部分よりも接触面の連続した部分における第１と最後の部分の長さを長くすることが有利であり、これは、最後の部分がそれらの部分の一方の側においてのみ、接着部分が増えるようになる隣接部分をもつからである。
【００２２】
接触面の複数の曲面部分は、長さが等しいか、又はほぼ等しいものになっている。しかしながら、他のリムに対する接着部にストレスが作用する部分をよりよくするために、それらを異なる長さにすることもできる。例えば、直径が短いリムウエルに複数の部分を長くし、第２の面に最も近い部分が一番長くなっているものにする場合に有利である。接触面の隣り合う部分の間で曲率が第２の面の近辺で最大になるから、所定のリムに合った他の部分と隣り合う部分により接着間隙の有効な長さが第２の面から離れた部分における場合よりも第２の面に隣り合う部分の方が短くなる。この不利益を補うために、第２の面に最も近い部分の長さを最も長くすれば有利である。
【００２３】
実用的には、それぞれの側、特にそれぞれの面の両側における曲がった部分の数は、成形物が嵌合するリムウエルの直径に適したものを選ばなければならない。
【００２４】
接触面の形状の第２の実施例によれば、接触面は、少なくとも一つの部分をもち、接触面を分かち、第１の面に対し垂直になっている第２の面の少なくとも一方の側において、第２の面からの距離が長くなるにつれ曲率が徐々に小さくなる凹面曲面にそった相互に平行なセットになった第１の面のそれぞれと交差するようになっている。この形状は、請求項３による構成から始まるもので、所定の長さの接触面の数が無限になる構成によって達成される。このことは、両実施例は共通の発明アイデアに基づいていることを示す。
【００２５】
接触面の曲率が連続的に変化する第２の実施例の場合においては、第２の面の二つの側の少なくとも一方における全長にわたり、第２の面から離れるにしたがい、曲率は、小さくなる。しかしながら、好ましくは、該実施例の接触面−第１の実施例に適したようなもの−も第２の面の両側においてもまたクレームされた曲率の形状を呈し、これによって、第２の面の両側において形状が異なるリムに同じように、特に、対称的に接触できるようになる。この点は、接着層に作用するトルクの発生をなくす特別な利点をもつ。
【００２６】
一般的には、接触面に対しては、例えば、好ましいことではなく、対称な構造が好ましいものではあるが、第２の面の一方の側にシングルのフラットな接触面を設けることで、第２の面の他方の側におけるよりも第２の面の一方の側における形状を異なった特別簡単な形状にすることができる。さらには、接触面を構成するのに前記二つの実施例を混ぜて使用することもできる。曲率を異にする接触面の円弧状部分を連続させることは、成形物を取り付けるリムの寸法公差が非常に厳しいリムウエルをもつ場合に好適である。しかしなかが別に拘束されるものではない。寸法公差がゆるいリムウエルであれば、請求項８による第２の実施例がさらに適したものになり、したがって、好ましい。
【００２７】
寸法公差は、リムの円周方向のみならず、横断方向にも生じる。特に、リムウエルは、常にシリンドリカルな形状をもつとは限らない。この発明の好ましいさらなる発展によれば、したがって、接触面は、前記曲面部分と垂直に交差する第３の面と交差するラインにそって凹面形状で設けられる。全体的に完全なシリンドリカルな形状のリムウエルは、この場合は交差のラインが直線で凹んでいないので、最適な接着面を構成するのに最も適している。しかしながら、実施には、リムウエルは、必ずしもシリンドリカルなものからスタートするものではなく、一つの、そして同じ形状の成形物で、しかも複数のリムウエルで十分に広い接着面が確保できる点を考慮すると、前記曲面部分に直角に交差する第３の面との交差ラインにそって凹面形状でのびていれば、うまく補正できることになる。第３の面と交差するラインは、ポリライン（多角形）を形成するストレイトの部分がならんだものにより構成され、連続する部分の間の角度がポリラインの一端からポリラインの他端にかけ大きくなるようになっている。しかしながら、交差するラインは、また、セクターごとに、又は、連続して曲面になっていてもよく、この曲率は、好ましくは、交差ラインの一端から他端にかけ大きくなっていることが好ましい。−リムに対し−リムの横断方向における、このような非対称の輪郭は、リムのエッジが肩部になるものであっても、寸法変化が大きく、非シリンドリカルなリムウエルのリムに対し、成形物を硬度の信頼性のもとに固定するのに特に適しているものである。このようにして開発された成形物の接触面は、サドルの半体の形状に似ている。
【００２８】
前記成形物とリムウエルを接続する物質、すなわち、接続用物質に適当な素材類は、なかんずく、接着剤、特に二成分系エポキシ樹脂及び二成分系ＳＥポリマー類のような硬化接着剤であって、高さが少なくとも１ｍｍの接着間隙に応ずるものである。冷間硬化接着剤もプロセス経済的には好ましいが、当然のことながら、加熱硬化接着剤の使用も可能である。接着剤の接着性は、例えば、接着面を粗面にしたり、エッチングしたり、組織化したり、又は、アンダーカットにしたりする既知の手段で向上される。
【００２９】
接続用物質は、冶金手段で行うこともできるが、このような解決は接着接続にくらべ高価になってしまう。
【００３０】
この発明のいくつかの実施例を図面に略図したが、発明の必須の特徴をあきらかにするために誇大して描かれている。同一のパーツ又は他に相当するパーツには、異なる実施例においても同じ符号が付してある。
【００３１】
「図面の説明」
図１は曲面が異なる部分のシーケンスを備える接触面をもつ成形物の斜視図である。
図２は大径のリムウエルに適用した図１の成形物の側面図である。
図３は小径のリムウエルに適用した図１の成形物の側面図である。
図４は接触面の曲率が連続的に変わる成形物の側面図である。
図５は図４に示した成形物の変形の側面図である。
図６から図１１は、リムウエルに適用される成形物のラジアル断面図であって、前記リムの回転軸に対するラジアル断面として表示され、前記リムウエルと成形物の接触面の異なる形態を示すものである。
【００３２】
図１に示した成形物は、ほぼ凹面の形状をした接触面２を有している。組み合わされた第１の複数の面３であって、それらは互いに平行になってのびており、その内の一つが前記成形物の前側横面４になっていて、連続した部分５ａ，５ｂ，５ｃを備える曲面５にそって前記成形物と交差しており、前記複数の部分は、前記面３に直角に交差する第２の面６の位置、すなわち、中央部位６ａ（以下、中央部位６ａの意味を含めて、第２の面６という）に最も近いものであり、接触面２を分割する部分５ａから曲率が変わるようになっており、この曲率半径は、第２の面６から遠くになるにしたがって大きくなり、これによって、前記部分５ａの曲率半径が最も小さいものになっている一方部分５ｃの曲率半径が最も大きくなるようになっている。この結果、前記第２の面６の両側における接触面２は、曲率が異なり、直接互いに接している一連の部分２ａ，２ｂ，２ｃから構成されている。図示の実施例では、部分２ａ，２ｂ，２ｃの各々がシリンダ封入体の一部を構成するようになっている。
【００３３】
前記構成は、第２の面６に対しミラーイメージになっていて、前記接触面の部分２ａは、第２の面６の一方の面から第２の面６の他方の面にかけて変化なしにのびていて、前記他方の部分２ｂ，２ｃは、外方へ向けて続いている。前記部分２ｂと前記部分５ｂは、第２の面６の異なる側において同じ符号で示されていて、同じ曲率と同じ曲率中心をもち、後者は、第２の面にある。同じことが残る部分５ｃ，２ｃそれぞれに言えるもので、同じ符号が付してある。
【００３４】
図２に図示のような成形物を大径も円筒状リムのウエル７に適用する場合、成形物１それ自体を接触面２の外側部分２ｃを介して前記リムのウエルに嵌合させることができる。成形物１をリムのウエル７に接合する場合、実質的に一定の層の厚さの接合層が前記接触面の部分２ｃの領域に形成される。外側の部分２ｃの端部をもとにしてリムのウエル７と接触面との間に第２の面に向かって間隙８が設けられ、その最高の高さは、ｄｍａｘとなり、これは、接着剤の性状と接着部の引張強度に依存するものであって、接着剤を前記間隙の最高の高さまで充填すれば、接着部の所要の引張強度になる。前記間隙の最高の高さに達したこの帯域は、ここでは、接着帯域９としても記載される。
【００３５】
図３による成形物１を小さな直径のリムのウエル７に適用する場合、前記接触面の内側部分２ａをリムのウエル７に嵌合し、接着帯域を部分２ａの両側における接触領域を越えて部分２ｂの領域の両側にある程度入りこむ。
【００３６】
直径が中間程度のリムの場合、成形物１は、その接触面２の部分２ｂを介して嵌合されるように適している。この場合、接続帯域９は、前記間隙のｄｍａｘが所定の最大幅になるまで部分２ｂの両側において隣り合う部分２ａ，２ｃに達するようになる。
【００３７】
曲率半径が異なる三つの部分について図１から図３に示したことは、成形物を嵌める異なる直径のリムウエルに応じて曲率半径が大きなものに適用できる。
【００３８】
図４は、接触面２の曲率が連続的に変化している成形物１の実施例の側面を示すもので、この例は、前記接触面の別々の部分２ａ，２ｂ，２ｃの数が接触面２の所定の全長を越して定まらないものになる場合の前記第１の実施例の限界の例となる。
【００３９】
図４に図示の実施例に較べて、図５に図示の実施例は、−図４の実施例のように−第２の面６の一方の側にある接触面の曲率は、第２の面６から離れるにつれ小さくなる一方、第２の面６の他方の側にある接触面２は、直線状になっている。この比較は、前記間隙の最大高さｄｍａｘ のポイントまでの接続帯域９の長さが第２の面６の他方におけるよりも前記接触面が直線境界線になっている領域にあってははるかに短くなることを示している。
【００４０】
図６から図１１は、前記リムの回転軸が位置する面、即ち、前記リムのラジアル面である第３の面におけるリムウエル７に対する接触面２の適合性を図示するものである。この第３の面は、図６から図１１それぞれの突出面であるが、図２から図５においては、突出面に対し垂直になっているものである。リムウエル７の二つの面と成形物１の形状が互いに向き合っていて、存在する関係のここでの説明の目的とすれば、リムウエル７と成形部１の両者は、ごく簡単なブロックのみで示されている。
【００４１】
図６は、リムウエル７が成形物１と接触する領域にシリンドリカルな形状をもつ場合を図示している。前記リムの回転軸と平行になっているリムウエル７の横断方向１０においては、前記接触面２が−前記実施例で図示したように−シリンドリカルな部分（図１から図３）又は平らな部分又は概ね横断方向１０で直線境界をもつ部分からなるものであれば、間隙高さが一定の接続帯域９になる。リムウエル７は，多くの場合、図７に示すように、円錐形なっている。このような場合には、間隙高さがｄmaxまでの有効接続帯域９は、円錐角度に応じて増減される。この点は、好ましいものではない。横断方向１０に円錐面２を対向させることで、図６と図７に示した直線境界の代わりにポリラインの形状をとり、その結果、接触面２の輪郭は、横断方向１０において多かれ少なかれ凸面になる。ポリラインが二つの直線部分からなる最も簡単な構成が図８と図９に示されている。これらの図から分かるように、接続帯域９は、リムが完全なシリンドリカルなリムウエル７をもつ場合に比べて、横断方向１０において短くなっているが、この不利な点は、図９の円錐形リムウエル７の場合には、図７に図示の場合に較べて、間隙高さがｄmaxまでの有効接続帯域９の長さが長くなる事実により相殺されるもので、したがって、接触面２を横断方向１０において曲げることで、図６，７に示す境界に比べて利点が生じる。
【００４２】
横断方向１０において接触面２を最適なものにするには、図８，９に図示のように接触面２を単純に曲げず、図１０，１１に図示のように、第３の面１２と交差する線１１で示されているポリライン使用の輪郭にするようにするもので、この場合、曲率は、平均して成形物１の一端（図１０の左端）から成形物１の対向端部に向けて増える。ポリラインの代わりに、横断方向１０においてそれに似た連続した曲面に交線１１もまたすることができる。接触面２の輪郭は、サドルの半分に類似する。一つで同じ成形物１を多数の異なるリムウエルに使用できれば最も有効である。
【図面の簡単な説明】
【００４３】
【図１】曲面が異なる部分のシーケンスを備える接触面をもつ成形物の斜視図。
【図２】大径のリムウエルに適用した図１の成形物の側面図。
【図３】小径のリムウエルに適用した図１の成形物の側面図。
【図４】接触面の曲率が連続的に変わる成形物の側面図。
【図５】図４に示した成形物の変形の側面図。
【図６】リムウエルに適用される成形物のラジアル断面図。
【図７】リムウエルに適用される成形物のラジアル断面図。
【図８】リムウエルに適用される成形物のラジアル断面図。
【図９】リムウエルに適用される成形物のラジアル断面図。
【図１０】リムウエルに適用される成形物のラジアル断面図。
【図１１】リムウエルに適用される成形物のラジアル断面図。
【符号の説明】
【００４４】
１    成形物
２    接触面
２ａ  部分
２ｂ  部分
２ｃ  部分
３    第１の面
４    横側面
５    曲面
５ａ  部分
５ｂ  部分
５ｃ  部分
６    面
７    リムウエル
８    間隙
９    接続帯域
１０  横断方向
１１  ポリライン
１２  第３の面
【図１】
0004582811.tif 000002
【図２】
0004582811.tif 000003
【図３】
0004582811.tif 000004
【図４】
0004582811.tif 000005
【図５】
0004582811.tif 000006
【図６】
0004582811.tif 000007
【図７】
0004582811.tif 000008
【図８】
0004582811.tif 000009
【図９】
0004582811.tif 000010
【図１０】
0004582811.tif 000011
【図１１】
0004582811.tif 000012